(57)【要約】【課題】  開封が困難で容易に機密情報を閲覧できず、機密情報媒体の処分に至る過程でも秘密状態を確保することができる機密保持封筒を提供することにある。【解決手段】  矩形状の封筒本体が、封筒本体を形成する台紙と、封筒本体の内面を形成する固化した接着剤である粘着層と、台紙と粘着層との間に位置する不透水性を有するフィルムとからなり、封筒本体に機密情報媒体を収納した後、封筒本体の内面に水を注ぐことにより、粘着層が溶解し、機密情報媒体が封筒本体の内面に接着されることを特徴とする。【選択図】図１
2007230619.tif 000002
【特許請求の範囲】
【請求項１】
書類や電子媒体等の機密情報を含む機密情報媒体を収納する機密保持封筒において、
矩形状の封筒本体が、該封筒本体を形成する台紙と、該封筒本体の内面を形成する固化した接着剤である粘着層と、該台紙と該粘着層との間に位置する不透水性を有するフィルムとからなり、
該封筒本体に該機密情報媒体を収納した後、該封筒本体の内面に水を注ぐことにより、該粘着層が溶解し、該機密情報媒体が該封筒本体の内面に接着されることを特徴とする機密保持封筒。
【請求項２】
前記封筒本体の内面で前記機密情報媒体の端部が近接する辺縁部に、接着剤を内包する接着剤溜を備え、該接着剤が該機密情報媒体の端部から複数の該機密情報媒体の間に入り込み、該機密情報媒体同士を接着させることを特徴とする請求項１記載の機密保持封筒。
【発明の詳細な説明】
【技術分野】
【０００１】
本発明は、書類や電子媒体等の機密情報を含む機密情報媒体を収納する機密保持封筒に関する。
【背景技術】
【０００２】
従来より、機密書類や機密情報が記録されたＣＤ、ＤＶＤ等の電子媒体等は、機密情報媒体として不要になった後は破砕や熔解等の処理をすることにより、機密情報の漏洩が起きないようにしている。
【０００３】
機密情報媒体の処理にあたっては、処分すべき機密情報媒体をオフィスで回収するところから始まる。具体的には、回収箱がオフィス内に置かれ、処分すべき機密情報媒体の所持者が、その機密情報媒体を回収箱に投函するようにする。回収箱内に所定量の処分すべき機密情報媒体が集まったところで、回収箱内の機密情報記録媒体が、処分業者に引き渡され、その処分業者により処理がなされる。
尚、この先行技術は、文献公知に係るものでないため、記載すべき先行技術文献情報はない。
【発明の開示】
【発明が解決しようとする課題】
【０００４】
しかしながら、従来の処分すべき機密情報媒体の回収箱は、出し入れ自在のキャビネットが多く用いられており、中から機密情報媒体を取り出すことが可能で、回収箱に投函したとしても機密状態が確保できないという問題があった。
【０００５】
本発明は、このような事情に鑑みてなされたもので、開封が困難で容易に機密情報を閲覧できず、機密情報媒体の処分に至る過程でも秘密状態を確保することができる機密保持封筒を提供することにある。
【課題を解決するための手段】
【０００６】
請求項１記載の機密保持封筒は、矩形状の封筒本体が、封筒本体を形成する台紙と、封筒本体の内面を形成する固化した接着剤である粘着層と、台紙と粘着層との間に位置する不透水性を有するフィルムとからなり、封筒本体に機密情報媒体を収納した後、封筒本体の内面に水を注ぐことにより、粘着層が溶解し、機密情報媒体が封筒本体の内面に接着されることを特徴とする。
【０００７】
請求項２記載の機密保持封筒は、封筒本体の内面で機密情報媒体の端部が近接する辺縁部に、接着剤を内包する接着剤溜を備え、接着剤が機密情報媒体の端部から複数の機密情報媒体の間に入り込み、機密情報媒体同士を接着させることを特徴とする。
【発明の効果】
【０００８】
請求項１の発明によれば、封筒本体に機密情報媒体を収納した後、封筒本体の内面に水を注ぐことにより、粘着層が溶解し、機密情報媒体が封筒本体の内面に接着されることから、開封が困難で容易に機密情報を閲覧できず、機密情報媒体の処分に至る過程でも秘密状態を確保することができる。
【０００９】
請求項２の発明によれば、封筒本体の辺縁部に、接着剤を内包する接着剤溜を備え、接着剤が機密情報媒体の端部から複数の機密情報媒体の間に入り込み、機密情報媒体同士を接着させることから、機密情報媒体が複数封筒本体に収納された場合でも、開封が困難で容易に機密情報を閲覧できず、機密情報媒体の処分に至る過程でも秘密状態を確保することができる。
【発明を実施するための最良の形態】
【００１０】
以下、本発明の形態について図面を参照しながら具体的に説明する。図１は、本発明に係る機密保持封筒の一例を示す説明図である。図２は、同機密保持封筒の断面を示す説明図である。
【００１１】
図において、本実施例の機密保持封筒１は、機密書類や、機密情報が記録されたＣＤ、ＤＶＤ等の電子媒体等の機密情報媒体３０を収納するための封筒である。そして、機密情報媒体３０が納められた機密保持封筒１を破砕したり熔解等の処理をしたりすることにより、機密情報の漏洩が起きないようにする。
【００１２】
機密保持封筒１の封筒本体１０は、矩形状の封筒で、外周を形成する台紙５と、内面を形成する固化した接着剤である粘着層７と、台紙５と粘着層７との間に位置する不透水性を有するフィルム６とからなる。台紙５は、通常の封筒に用いられる紙であり、一般的にはクラフト紙が用いられる。また、粘着層７に用いられる接着剤は、例えばＰＶＡ（Polyvinyl Acetate Glue）等で、水で溶解し、紙やＣＤ、ＤＶＤ等の電子媒体等を封筒本体１０に接着可能なものである。
【００１３】
次に本実施例の機密保持封筒１の使用方法を説明する。まず、処分が必要になった機密情報媒体３０を、封筒本体１０の開口部１１から内部に入れる。次に、開口部１１から封筒本体１０内部に、例えばコップ２０につがれた水２１を注ぎ込む。そして、閉じ込み片１２を折りたたんで開口部１１を封印し、封筒本体１０を揺さぶるようにする。
【００１４】
封筒本体１０を揺さぶることにより、水２１が封筒本体１０の内面の粘着層７に行き渡り、粘着層７を形成する接着剤を溶解する。溶解した接着剤が、機密情報媒体３０を封筒本体１０の内面に接着させる。尚、不透水性のフィルム６があることから、水２１が台紙５方向にしみ出すことはない。
【００１５】
以上のように、機密保持封筒１は、封筒本体１０に機密情報媒体３０を収納した後、封筒本体１０の内面に水２１を注ぐことにより、粘着層７が溶解し、機密情報媒体３０が封筒本体１０の内面に接着されることから、開封が困難で容易に機密情報を閲覧できず、機密情報媒体３０の処分に至る過程でも秘密状態を確保することができる。尚、封筒本体１０が、紙製の台紙５をベースとしているが、機密情報媒体３０と一体で固化することで、機密保持封筒１全体が硬くなって紙でも容易に破断できない状態となる。
【００１６】
尚、上述の機密保持封筒１では、複数枚の機密情報媒体３０を収納した場合、機密情報媒体３０の相互の接着が弱い場合が考えられるが、機密情報媒体３０の相互の接着を考慮したものが、図３及び図４に示す機密保持封筒２である。図３は、本発明に係る機密保持封筒の他の例を示す説明図である。図４は、同機密保持封筒の断面を示す説明図である。
【００１７】
機密保持封筒２の封筒本体１０は、矩形状の封筒で、外周を形成する台紙５と、内面を形成する固化した接着剤である粘着層７と、台紙５と粘着層７との間に位置する不透水性を有するフィルム６とからなる。台紙５は、通常の封筒に用いられる紙であり、一般的にはクラフト紙が用いられる。また、粘着層７に用いられる接着剤は、例えばＰＶＡ（Polyvinyl Acetate Glue）等で、水で溶解し、紙やＣＤ、ＤＶＤ等の電子媒体等を封筒本体１０に接着可能なものである。また、封筒本体１０の内面で機密情報媒体３０の端部が近接する辺縁部に、接着剤を内包する接着剤溜１５を備えている。
【００１８】
この接着剤溜１５は、粘着層７を形成する接着剤を他の部分よりも厚く塗布することにより形成してもよいし、水で溶解する袋体で形成してもよく、接着剤を粘着層７よりも多く収容できればよい。尚、接着剤溜１５の接着剤は、粘着層７に用いられるものの他、液状の物など機密情報媒体３０を相互に接着可能なものであればよい。
【００１９】
次に機密保持封筒２の使用方法を説明する。まず、処分が必要になった機密情報媒体３０を、封筒本体１０の開口部１１から内部に入れる。次に、開口部１１から封筒本体１０内部に、例えばコップ２０につがれた水２１を注ぎ込む。そして、閉じ込み片１２を折りたたんで開口部１１を封印し、封筒本体１０を揺さぶるようにする。
【００２０】
封筒本体１０を揺さぶることにより、水２１が封筒本体１０の内面の粘着層７に行き渡り、粘着層７を形成する接着剤を溶解する。溶解した接着剤が、機密情報媒体３０を封筒本体の内面に接着させる。また、接着剤溜１５の接着剤が水２１と共に機密情報媒体３０の間に入り込み、機密情報媒体３０同士を接着させることになる。
【００２１】
以上のように、機密保持封筒２は、封筒本体１０の辺縁部に、接着剤を内包する接着剤溜１５を備え、接着剤が機密情報媒体３０の端部から複数の機密情報媒体３０の間に入り込み、機密情報媒体３０同士を接着させることから、機密情報媒体３０が複数封筒本体１０に収納された場合でも、開封が困難で容易に機密情報を閲覧できず、機密情報媒体３０の処分に至る過程でも秘密状態を確保することができる。
【産業上の利用可能性】
【００２２】
以上のように、本発明の機密保持封筒は、封筒本体に収納し接着可能な機密情報媒体に適用できる。
【図面の簡単な説明】
【００２３】
【図１】本発明に係る機密保持封筒の一例を示す説明図である。
【図２】同機密保持封筒の断面を示す説明図である。
【図３】本発明に係る機密保持封筒の他の例を示す説明図である。
【図４】同機密保持封筒の断面を示す説明図である。
【符号の説明】
【００２４】
１，２・・・機密保持封筒
５・・・・・台紙
６・・・・・フィルム
７・・・・・粘着層
１０・・・・封筒本体
１１・・・・開口部
１２・・・・閉じ込み片
１５・・・・接着剤溜
２０・・・・コップ
２１・・・・水
３０・・・・機密情報媒体
【図１】
2007230619.tif 000003
【図２】
2007230619.tif 000004
【図３】
2007230619.tif 000005
【図４】
2007230619.tif 000006